(57)【要約】【課題】  狭小な居室等の出入口に設けられる開閉扉として、扉開閉によるデッドスペースを作ることなく、在室時の圧迫感や不快感を解消することのできる開閉扉を提供する。【解決手段】  開口部２１の左右一方の側に設けられた開閉軸１３に子扉１１を回動自在に取着し、この子扉１１の側部に親扉１２を回動自在に連結する。そして、これらの子扉１１及び親扉１２を、それぞれ同じ曲率で同側に湾曲した円筒曲面状に形成して、子扉１１と親扉１２とを開口部２１の外側へ円筒曲面状に突出して閉扉可能とする。また、子扉１１と親扉１２との連結部１４を、開口部２１の内側へ凹状に引込んで閉扉可能とする。【選択図】  図４
2005054485.tif 000002
【特許請求の範囲】
【請求項１】
開口部の左右一方の側に設けられた開閉軸に回動自在に取着された子扉と、この子扉の側部に回動自在に連結された親扉とを備え、
これらの子扉及び親扉はそれぞれ同じ曲率で同側に湾曲した円筒曲面状に形成され、閉扉時、子扉と親扉とが開口部の外側へ円筒曲面状に突出しうることを特徴とする開閉扉。
【請求項２】
子扉と親扉との連結部が開口部の内側へ凹状に引込まれて閉扉可能とされたことを特徴とする請求項１に記載の開閉扉。
【請求項３】
開口部の上部には、前記開閉軸を中心とした円弧状のガイド部が設けられ、子扉と親扉との連結部がガイド部に沿って摺動自在とされたことを特徴とする請求項１又は２に記載の開閉扉。
【請求項４】
開口部の上部には、閉扉時に外側へ突出した子扉及び親扉の頂部を被覆する庇部材が設けられたことを特徴とする請求項１から３のいずれかに記載の開閉扉。
【発明の詳細な説明】
【技術分野】
【０００１】
この発明は、出入口に設けられる開閉扉に関する。
【背景技術】
【０００２】
従来から都市部の住宅事情の下では、トイレや浴室等の水回り空間に十分なスペースを確保することが難しく、階段下などを利用してトイレが設置されている例もある。このような狭小スペースに設けられたトイレや浴室等の水回り空間は使い勝手がよいとは言えず、出入口に開き戸が設けられている場合には、その開閉スペースが必要となって動作空間が十分ではない。また、かかる出入口に引き戸を設けるには、戸袋スペースが必要となるので好ましくない。
【０００３】
そこで、このような水回り空間の出入口には、折戸（フォールディングドア）を設けて、扉の開閉に要する軌道スペースを開き戸の場合よりも小さくすることが提案されている（例えば、特許文献１参照。）。
【０００４】
この種の折戸は、開口部枠（三方枠）の内側に、開口幅を１：１ないし３：１程度に内分するように分割されて２枚の親子扉が設けられ、これらの扉を折り畳み可能にヒンジにより連結されている。開口部枠に支持された親扉と、戸先縦框に回動自在に取り付けられた子扉とは、見付け方向に直線状に展開した閉塞状態と、見付け方向に折り畳まれた開放状態との間で開閉自在に構成されている。
【特許文献１】特開２００１−３３６３５９号公報
【発明の開示】
【発明が解決しようとする課題】
【０００５】
前記したような従来の折戸を狭小なトイレの出入口に設けると、扉開閉によるデッドスペースの問題は解消されても、折戸を閉めた状態のトイレ内はやはり狭く、トイレに入った人は立った状態や便器に腰掛けた状態で、折戸との間隔が非常に狭くなってしまうため、閉扉時の圧迫感や不快感から免れ得ないものであった。
【０００６】
しかしながら、住宅の限られたスペースの中でトイレ自体を拡張することは困難であるため、トイレの大きさはそのままとした狭小スペースにおいて、かかる圧迫感や不快感を解消することが求められている。
【０００７】
本発明は以上のような事情にかんがみて、狭小な居室等の出入口に設けられる開閉扉として、扉開閉によるデッドスペースを作ることなく、在室時の圧迫感や不快感を解消することのできる開閉扉を提供することを目的とする。
【課題を解決するための手段】
【０００８】
前記課題を解決するため、本発明に係る開閉扉は、開口部の左右一方の側に設けられた開閉軸に回動自在に取着された子扉と、この子扉の側部に回動自在に連結された親扉とを備え、これらの子扉及び親扉はそれぞれ同じ曲率で同側に湾曲した円筒曲面状に形成され、閉扉時、子扉と親扉とが開口部の外側へ円筒曲面状に突出しうることを特徴とする。
【０００９】
さらに、本発明の開閉扉は、子扉と親扉との連結部が開口部の内側へ凹状に引込まれて閉扉可能とされたことを特徴とする。
【００１０】
また、本発明の開閉扉は、開口部の上部に、前記開閉軸を中心とした円弧状のガイド部が設けられ、子扉と親扉との連結部がガイド部に沿って摺動自在とされたことを特徴とする。
【００１１】
また、本発明の開閉扉は、前記の開閉扉において、開口部の上部に、閉扉時に外側へ突出した子扉及び親扉の頂部を被覆する庇部材が設けられてもよい。
【発明の効果】
【００１２】
本発明に係る開閉扉は、前記のような特徴を有することにより、扉の開閉に要する軌道スペースを開き戸の場合よりも小さく形成するだけでなく、閉扉時には子扉と親扉とが開口部の外側へ円筒曲面状に突出させることができるので、室内にいる人と両扉との間にゆとりができて開口部付近での動作も行いやすくなり、在室時の圧迫感や不快感を軽減することができる。また、このように在室時に開閉扉を開口部の外側へ円筒曲面状に突出させていることで、外側から一目で在室中であることを認識することができる。
【００１３】
加えて、子扉と親扉との連結部を開口部の内側へ凹状に引込んで閉扉した場合には、開口部の外側にゆとりをもたせることができるので、かかる開閉扉を設けた居室の使用状況に応じて適宜閉扉形状を変えて省スペース化を図ることができる。
【発明を実施するための最良の形態】
【００１４】
以下、本発明に係る開閉扉の実施の形態について、図面を参照しつつ説明する。
【００１５】
図１から図６は本発明に係る開閉扉の実施例の一つを示し、図１は開閉扉の平面図、図２は開閉扉を開けて居室内に入るところを示す平面図、図３は居室内に入って開閉扉を閉めるところを示す平面図、図４はトイレの使用状態を示す平面図、図５はトイレから出て開閉扉を閉める場合の閉め方を示す平面図、図６は図５とは異なる開閉扉の閉め方を示す平面図である。
【００１６】
この開閉扉１は、例示の形態では、住宅の廊下３に面したトイレ２の出入口の開口部２１に設けられている。開閉扉１は、吊元側の子扉１１と手先側の親扉１２とからなり、子扉１１と親扉１２とが約１：２の幅比に形成されている。
【００１７】
子扉１１は開口部２１の左右一方の側に設けられた開閉軸１３に回動自在に取着されている。また、親扉１２はこの子扉１１の他方の側部にヒンジなどを用いて回動自在に連結され、子扉１１との間に連結部１４が形成されている。そして、これらの子扉１１及び親扉１２は、それぞれ同じ曲率で同側に湾曲した円筒曲面状に形成されている。
【００１８】
開口部２１の左右他方の側には、閉じられた親扉１２を受け止める締まり金具を備えたラッチ部１７が設けられている。ラッチ部１７は開口部２１の左右方向にスライド可能に形成されている。
【００１９】
開口部２１の上部には、庇部材１６が廊下３側に突設されている。庇部材１６は端縁が、前記の子扉１１及び親扉１２とほぼ同じ曲率の円弧状に形成されている。
【００２０】
また、開口部２１の上部には、開閉軸１３を中心とした円弧状のガイド部１５１が設けられている。本実施例では、ガイド部１５１は開口部２１の上部枠１５に溝状に形成され、開口部２１に交差して庇部材１６に納まる範囲内で設けられている。そして、子扉１１と親扉１２との連結部１４には、このガイド部１５１に沿って水平に滑動しうる吊り戸車（図示省略）等の摺動部材が備えられている。これにより、連結部１４はガイド部１５１に沿って開閉軸１３を中心に円弧状に摺動自在とされて、子扉１１及び親扉１２を開閉自在に構成している。また、開閉扉１は、このようなガイド部１５１によって、両扉１１，１２の連結部１４の摺動範囲が規制され、両扉１１，１２の開閉範囲も決定されている。
【００２１】
前記のような構成の開閉扉１でトイレ２内に出入りするには、例えば、図２（ａ）に示すように、まず親扉１２の取っ手１２１を把持して、開口部２１上部のガイド部１５１に沿って連結部１４を廊下３側に摺動させつつ、親扉１２を子扉１１とともに廊下３側（手前側）へ引出す。そして、同図（ｂ）に示すように、連結部１４をガイド部１５１の外側端部まで摺動させた状態で親扉１２を廊下３側へさらに開放して、トイレ２内に入る。
【００２２】
トイレ２内に入った後は、図３に示すように開閉扉１を内側から閉める。この開閉扉１を閉める際、連結部１４はガイド部１５１の外側端部に位置する状態のまま、親扉１２を手前に引いてラッチ部１７に係止させ、閉扉する。また、前記のように閉扉したとき、外側へ突出した子扉１１及び親扉１２の頂部は庇部材１６によって被覆されている。
【００２３】
これらの動作を経て、開閉扉１は、子扉１１と親扉１２とが開口部２１の外側へ円筒曲面状に突出した状態となって閉扉されている。これにより、図４に示すように、両扉１１，１２が外側へ突出した分だけトイレ２内にゆとりができるのでトイレ内が広くなり、トイレを使用しやすくなって、従来の問題点であった閉扉時のトイレ内における圧迫感や不快感を解消することができる。
【００２４】
例示の形態において開閉扉１は、前記のように子扉１１と親扉１２とが開口部２１の外側へ円筒曲面状に突出した状態の場合と、子扉１１と親扉１２との連結部１４が開口部２１の内側へ凹状に引込まれた状態の場合の２通りの閉扉状態にすることができる。後者のように閉扉するには、図５（ａ）に示すように、まず親扉１２の取っ手１２１を把持して連結部１４をトイレ２側へ押しつつ、ガイド部１５１に沿って内側端部まで摺動させる。引き続いて、図５（ｂ）に示すように、廊下３側に開放されている親扉１２をラッチ部１７に係止させて閉扉する。
【００２５】
また、図６（ａ）、（ｂ）に示すように、両扉１１，１２を開口部２１の外側へ円筒曲面状に突出した状態にして閉じた後、子扉１１と親扉１２の連結部１４をガイド部１５１に沿って内側方向へ摺動させ、トイレ２内に押し込むことで閉扉してもよい。例示の形態では、ラッチ部１７が左右方向にスライド可能に構成されているので、両扉１１，１２の動作に対応してラッチ部１７が左右方向にスライドし、連結部１４を容易に内側方向へ押し込むことができる。
【００２６】
このように開閉扉１を開口部２１の内側へ凹状に引込んで閉扉することで、例えばトイレ２を使用していないときなどは、開閉扉１が廊下３側へ突出しないため、廊下３の通行の邪魔になったり、廊下３側が狭くなったりすることがなく、狭小な住宅にも好適に実施することができる。
【００２７】
なお、本発明に係る開閉扉１として、前記の形態のほかに、子扉１１と親扉１２とが開口部２１の大きさに合わせて、例えば約１：１の幅比に形成されるなどしてもよい。
【図面の簡単な説明】
【００２８】
【図１】本発明に係る開閉扉の平面図である。
【図２】本発明に係る開閉扉を示し、（ａ）は開閉扉を開ける様子を示す平面図、（ｂ）は居室内に入るところを示す平面図である。
【図３】前記の開閉扉を閉じる様子を示す平面図である。
【図４】本発明に係る開閉扉を閉めた在室中の状態を示す平面図である。
【図５】本発明に係る開閉扉の閉扉方法の一例を示し、（ａ）は開閉扉を閉めている段階の平面図、（ｂ）は開閉扉を閉めた状態の平面図である。
【図６】本発明に係る開閉扉の閉扉方法の他の例を示し、（ａ）は開閉扉を閉めている段階の平面図、（ｂ）は開閉扉を閉めた状態の平面図である。
【符号の説明】
【００２９】
１      開閉扉
１１    子扉
１２    親扉
１３    開閉軸
１４    連結部
１５    上部枠
１５１  ガイド部
１６    庇部材
１７    ラッチ部
２      トイレ
２１    開口部
３      廊下
【図１】
2005054485.tif 000003
【図２】
2005054485.tif 000004
【図３】
2005054485.tif 000005
【図４】
2005054485.tif 000006
【図５】
2005054485.tif 000007
【図６】
2005054485.tif 000008